【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  コンテンツを識別する識別情報と、前記識別情報に対応して、前記コンテンツが複製されたときの時刻情報を記憶する記憶手段と、
複製しようとするコンテンツの識別情報を取得する取得手段と、
前記取得手段により取得された前記識別情報と、前記記憶手段に記憶されている前記時刻情報に対応して、前記コンテンツを複製する複製手段と
を含むことを特徴とする情報処理装置。
【請求項２】  コンテンツを識別する識別情報と、前記識別情報に対応して、前記コンテンツが複製されたときの時刻情報を記憶する記憶ステップと、
複製しようとするコンテンツの識別情報を取得する取得ステップと、
前記取得ステップで取得された前記識別情報と、前記記憶ステップで記憶された前記時刻情報に対応して、前記コンテンツを複製する複製ステップと
を含むことを特徴とする情報処理方法。
【請求項３】  コンテンツを識別する識別情報と、前記識別情報に対応して、前記コンテンツが複製されたときの時刻情報を記憶する記憶ステップと、
複製しようとするコンテンツの識別情報を取得する取得ステップと、
前記取得ステップで取得された前記識別情報と、前記記憶ステップで記憶された前記時刻情報に対応して、前記コンテンツを複製する複製ステップと
を含むことを特徴とするコンピュータが読み取り可能なプログラムが格納されているプログラム格納媒体。
【請求項４】 複製されるコンテンツを識別する識別情報を取得する取得手段と、
前記取得手段において取得された識別情報と、前記識別情報に対応して、前記コンテンツが複製されたときの時刻を示す時刻情報を記憶する記憶手段と、
前記取得手段により取得された前記識別情報に対応する、前記記憶手段に記憶されている前記時刻情報に応じて、前記コンテンツを複製する複製手段と、
前記コンテンツを再生する再生手段と
を備えることを特徴とする情報処理装置。
【請求項５】 前記識別情報は、ＩＳＲＣ（International Standard Recording Code）である
ことを特徴とする請求項４に記載の情報処理装置。
【請求項６】 前記識別情報は、ＴＯＣ（Table of Contents）である
ことを特徴とする請求項４に記載の情報処理装置。
【請求項７】 前記取得手段は、前記コンテンツの識別情報である前記ＩＳＲＣを、前記コンテンツが記憶されている情報記録媒体から読み出し、
前記ＩＳＲＣが前記情報記録媒体に記録されていない場合は、前記コンテンツの識別情報としてＴＯＣを用いる
ことを特徴とする請求項４に記載の情報処理装置。
【請求項８】 前記記憶手段に記憶されるデータの改竄を、ハッシュ関数を用いて検出する制御手段を更に備える
ことを特徴とする請求項４に記載の情報処理装置。
【請求項９】 前記複製手段は、前記取得手段において取得されたコンテンツの前記識別情報に対応して記憶される、前期コンテンツが複製された時刻を示す前記時刻情報を参照して、予め設定された時間を経過しているか否かを確認する
ことを特徴とする請求項４に記載の情報処理装置。
【請求項１０】 前記複製手段は、予め設定された時間を経過していない場合には、前記コンテンツの複製を禁止する
ことを特徴とする請求項９に記載の情報処理装置。
【請求項１１】 前記複製手段は、予め設定された時間を経過していない場合には、前記コンテンツに含まれるウォーターマークを検出し、検出されたウォーターマークに基づいて複製を制御する
ことを特徴とする請求項９に記載の情報処理装置。
【請求項１２】 複製を行ったコンテンツを識別する識別情報と、前記コンテンツの複製を行った時刻を示す複製時刻とを対応付けて記憶するデータベースを保有する情報処理装置における情報処理方法において、
複製するコンテンツの識別情報を取得手段において取得し、
前記取得手段において取得された識別情報が、前記データベースに記憶されているか否かを検出手段において検出し、
前記検出手段において、前記データベースに識別情報が既に記憶されていることが検出されると、前記データベースに記憶される複製時刻と現在時刻とを比較手段において比較し、
前記データベースに記憶される複製時刻から現在時刻までの経過時間が、予め設定された時間より短いか否かを確認手段において確認し、
前記確認手段において、前記経過時間が予め設定された時間より短いことが確認された場合には、前記複製手段において前記コンテンツの複製を禁止する
ことを特徴とする情報処理方法。
【手続補正２】
【補正対象書類名】明細書
【補正対象項目名】０００９
【補正方法】変更
【補正の内容】
【０００９】
請求項３に記載のプログラム格納媒体のプログラムは、コンテンツを識別する識別情報と、識別情報に対応して、コンテンツが複製されたときの時刻情報を記憶する記憶ステップと、複製しようとするコンテンツの識別情報を取得する取得ステップと、取得ステップで取得された識別情報と、記憶ステップで記憶された時刻情報に対応して、コンテンツを複製する複製ステップとを含むことを特徴とする。
請求項４に記載の情報処理装置は、複製されるコンテンツを識別する識別情報を取得する取得手段と、取得手段において取得された識別情報と、識別情報に対応して、コンテンツが複製されたときの時刻を示す時刻情報を記憶する記憶手段と、取得手段により取得された識別情報に対応する、記憶手段に記憶されている時刻情報に応じて、コンテンツを複製する複製手段と、コンテンツを再生する再生手段とを備えることを特徴とする。
請求項１２に記載の情報処理方法は、複製を行ったコンテンツを識別する識別情報と、コンテンツの複製を行った時刻を示す複製時刻とを対応付けて記憶するデータベースを保有する情報処理装置における情報処理方法であって、複製するコンテンツの識別情報を取得手段において取得し、取得手段において取得された識別情報が、データベースに記憶されているか否かを検出手段において検出し、検出手段において、データベースに識別情報が既に記憶されていることが検出されると、データベースに記憶される複製時刻と現在時刻とを比較手段において比較し、データベースに記憶される複製時刻から現在時刻までの経過時間が、予め設定された時間より短いか否かを確認手段において確認し、確認手段において、経過時間が予め設定された時間より短いことが確認された場合には、複製手段においてコンテンツの複製を禁止することを特徴とする。
【手続補正３】
【補正対象書類名】明細書
【補正対象項目名】００１０
【補正方法】変更
【補正の内容】
【００１０】
請求項１に記載の情報処理装置、請求項２に記載の情報処理方法、および請求項３に記載のプログラム格納媒体においては、コンテンツを識別する識別情報と、識別情報に対応して、コンテンツが複製されたときの時刻情報が記憶され、複製しようとするコンテンツの識別情報が取得され、取得された識別情報と、記憶されている時刻情報に対応して、コンテンツが複製される。
請求項４に記載の情報処理装置においては、複製されるコンテンツを識別する識別情報が取得され、取得された識別情報と、識別情報に対応して、コンテンツが複製されたときの時刻を示す時刻情報が記憶され、取得された識別情報に対応する、記憶されている時刻情報に応じて、コンテンツが複製され、コンテンツが再生される。
請求項１２に記載の情報処理方法においては、複製するコンテンツの識別情報が取得手段において取得され、取得手段において取得された識別情報が、データベースに記憶されているか否かが検出手段において検出され、検出手段において、データベースに識別情報が既に記憶されていることが検出されると、データベースに記憶される複製時刻と現在時刻とが比較手段において比較され、データベースに記憶される複製時刻から現在時刻までの経過時間が、予め設定された時間より短いか否かが確認手段において確認され、確認手段において、経過時間が予め設定された時間より短いことが確認された場合には、複製手段においてコンテンツの複製が禁止される。
【手続補正４】
【補正対象書類名】明細書
【補正対象項目名】０２４８
【補正方法】変更
【補正の内容】
【０２４８】
【発明の効果】
請求項１に記載の情報処理装置、請求項２に記載の情報処理方法、および請求項３に記載のプログラム格納媒体によれば、コンテンツの識別情報に対応させて複製されたときの時間情報を記憶するようにしたので、ユーザの利益を大きく損なうことなく、大量の複製を実質的に禁止することができるようになる。
請求項４に記載の情報処理装置によれば、複製されるコンテンツを識別する識別情報が取得され、取得された識別情報と、識別情報に対応して、コンテンツが複製されたときの時刻を示す時刻情報が記憶され、取得された識別情報に対応する、記憶されている時刻情報に応じて、コンテンツが複製され、コンテンツが再生されるようにしたので、ユーザの利益を大きく損なうことなく、大量の複製を実質的に禁止することができるようになる。
請求項１２に記載の情報処理方法によれば、複製するコンテンツの識別情報が取得手段において取得され、取得手段において取得された識別情報が、データベースに記憶されているか否かが検出手段において検出され、検出手段において、データベースに識別情報が既に記憶されていることが検出されると、データベースに記憶される複製時刻と現在時刻とが比較手段において比較され、データベースに記憶される複製時刻から現在時刻までの経過時間が、予め設定された時間より短いか否かが確認手段において確認され、確認手段において、経過時間が予め設定された時間より短いことが確認された場合には、複製手段においてコンテンツの複製が禁止されるようにしたので、ユーザの利益を大きく損なうことなく、大量の複製を実質的に禁止することができるようになる。